【事件の表示】
　特許第２９８２０７９号「軽包装用シート材及びこれを用いた軽包装袋」の請求項１ないし２に係る特許に対する特許異議の申立てについて、次のとおり決定する。
【結　論】
　訂正を認める。
　特許第２９８２０７９号の請求項１ないし２に係る特許を取り消す。
【理　由】
Ｉ．手続の経緯
　
　特許第２９８２０７９号の請求項１ないし２に係る発明についての手続の経緯は、およそ次のとおりである。
（１）特許出願　平成２年１１月２２日
（２）特許権の設定の登録　平成１１年９月２４日
（３）特許掲載公報（以下「本件公報」という。）の発行　平成１１年１１月２２日
（４）佐久間政より特許異議の申立て　平成１２年５月１６日
（５）特許の取消理由の通知　平成１２年１１月１０日
（６）特許権者より特許異議意見書の提出及び明細書の訂正請求（指定期間内）　平成１３年１月９日
　
ＩＩ．訂正の適否について
　
１．訂正の内容
　前記の明細書の訂正請求は、次のア〜ウのとおり、明細書の記載を訂正することを求めるものである。
　ア　訂正前の明細書の特許請求の範囲の記載、すなわち、
「【請求項１】水蒸気バリヤー性能を有する支持体の下面に水分吸着層を設け、該水分吸着層の下面に水分透過性の接着フィルム層を形成したことを特徴とする軽包装用シート材。
【請求項２】水蒸気バリヤー性能を有する支持体の下面に水分吸着層を設け、該水分吸着層の下面に水分透過性の接着フィルム層を形成してなるシート材を、該接着フィルム層を内側にして折返し、該接着フィルム層の重なり部の必要個所を熱接着形成したことを特徴とする軽包装袋。」
を訂正明細書の特許請求の範囲の記載、すなわち、
「【請求項１】水蒸気バリヤー性能を有する支持体の下面に水分吸着層を設け、該水分吸着層の下面に、素材や厚さにより選択された水分吸着スピードを有する水分透過性の接着フィルム層を形成したことを特徴とする軽包装用シート材。
【請求項２】水蒸気バリヤー性能を有する支持体の下面に水分吸着層を設け、該水分吸着層の下面に、素材や厚さにより選択された水分吸着スピードを有する水分透過性の接着フィルム層を形成してなるシート材を、該接着フィルム層を内側にして折返し、該接着フィルム層の重なり部の必要個所を熱接着形成したことを特徴とする軽包装袋。」
に訂正する。
　イ　訂正前の明細書（本件公報３欄２８〜２９行）の〔課題を解決するための手段〕欄の「該水分吸着面の下面に水分透過性の接着フィルム層を形成したこと」を、「該水分吸着面の下面に、素材や厚さにより選択された水分吸着スピードを有する水分透過性の接着フィルム層を形成したこと」と訂正する。
　ウ　訂正前の明細書（本件公報４欄４６〜４８行）の〔発明の効果〕欄の「水分吸着層の下面に、水分透過性のある接着フィルム層を形成し」を、「水分吸着層の下面に、素材や厚さにより選択された水分吸着スピードを有する水分透過性のある接着フィルム層を形成し」と訂正する。
　
２．訂正の目的の適否、新規事項の追加の有無及び特許請求の範囲の拡張・変更の存否
　アの訂正は、訂正前の請求項１ないし２の記載において、「水分透過性の接着フィルム層」が「素材や厚さにより選択された水分吸着スピードを有する」ものであることを規定するものであるから、特許請求の範囲の減縮を目的とするものに該当する。
　イ〜ウの訂正は、アの訂正に整合させて、対応する発明の詳細な説明に所要の訂正を行うものであるから、明りょうでない記載の釈明を目的とするものに該当する。
　そして、これらの訂正は、いずれも願書に添付された明細書又は図面に記載された事項の範囲内においてされたものであり、また、訂正前の請求項１ないし２に記載された事項により特定される発明の具体的な目的の範囲を逸脱してその技術的事項を変更するもの等に該当しないから、当該訂正は、特許請求の範囲を実質上拡張するものでも変更するものでもない。
　
３．むすび
　以上のとおりであるから、ア〜ウの訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
ＩＩＩ．特許異議の申立てについて
　
１．本件発明
　本件特許の請求項１ないし２に係る発明（以下「請求項１ないし２に係る発明」という。）は、前記ＩＩ．１．アに摘記した訂正明細書の特許請求の範囲の請求項１ないし２に記載されている事項により特定されるとおりのものである。
　
２．特許異議の申立ての理由の概要
　特許異議申立人は、次の甲第１号証ないし甲第３号証を提出し、請求項１に係る発明は、本件出願前に国内において頒布された甲第１号証又は甲第２号証の各刊行物に記載された発明であるか又は甲第１、２号証ないし本件出願前に国内において頒布された甲第３号証の各刊行物に記載された発明に基づいて当業者が容易に発明をすることができたものであり、また、請求項２に係る発明は、甲第１号証の刊行物に記載された発明であるか又は甲第１号証ないし甲第３号証の各刊行物に記載された発明に基づいて当業者が容易に発明をすることができたものであるから、いずれも特許法第２９条第１項第３号又は同条第２項の規定により特許を受けることができないものであって、本件請求項１ないし２に係る特許は取り消されるべきものである旨主張している。
　甲第１号証：実願昭６３−４２４５１号（実開平１−１４４３４５）のマイクロフィルム（以下「刊行物１」という。）
　甲第２号証：実願昭５９−１５３４７９号（実開昭６１−６９０５７）のマイクロフィルム
　甲第３号証：特開昭５５−９０５３５号公報
　
３．当審の取消理由において引用した刊行物とその記載内容
（１）当審が通知した前記Ｉ．（５）の特許の取消理由に引用した刊行物１には、乾燥菓子類等比較的軽量の食品類を収納包装する除湿能を有する袋に関して、次のａ〜ｅの各事項が図面（第１〜５図）とともに記載されている。
　ａ　「ヒートシール性層を設けた袋基材のヒートシール性層を内側にして周縁をヒートシールして製袋してなる袋であって、前記ヒートシール性層中に吸湿剤が含有されていることを特徴とする除湿能を有する袋。」　（実用新案登録請求の範囲）
　ｂ　「第１図は本考案の袋１の一実施例を示し、該袋１は第２図に示すように、支持材２に防湿コート層３を積層して形成した袋基材４に接着剤層５を介してヒートシール性層６を積層した積層体７を、ヒートシール性層６が内面側となるようにしてヒートシールして製袋したものである。上記袋１を構成する積層体７のヒートシール性層６は、吸湿剤８を含有するヒートシール性樹脂により構成されている。尚、第１図において９はヒートシール部を示す。」　（３頁８〜１７行）
　ｃ　「ヒートシール性層６は熱可塑性樹脂により構成することができ、例えばポリオレフィン系樹脂（中略）、ポリアミド樹脂、ポリエステル樹脂、ポリスチレン樹脂、ポリ塩化ビニル樹脂等が用いられるが、透明性の高いものが好ましい。ヒートシール性層６の厚みは、一般に１５〜１００μ程度である。」　（４頁８〜１６行）
　ｄ　「またヒートシール性層６の袋基材４へのラミネートあるいは製袋時のヒートシールに際して吸湿剤を添加したことにより熱融着性が低下する場合、熱融着性を向上させる目的で、共押出法等によって第３図に示すように吸湿剤８を含有するヒートシール性層６ａの片面側に吸湿剤８を含有しないヒートシール性層６ｂを設けたり（ラミネート時あるいは製袋時のヒートシール時のどちらか一方の熱融着性が低い場合）、（中略）製膜しても良い。」　（５頁１１行〜６頁４行）
　ｅ　「第５図は支持材２に接着剤層１０を介して金属箔１１を積層して防湿性を付与した袋基材４とした構成例を示す。」　（６頁５〜７行）
（２）刊行物１の前記ａ〜ｅの記載を図面（第１〜３、５図）を参照しながら総合すると、刊行物１には、次の発明（以下「引用発明１」、「引用発明２」という。）が記載されていると認められる。
　【引用発明１】支持材２に防湿コート層３又は金属箔１１を積層してなる袋基材４の下面に、吸湿剤８を含有する熱可塑性樹脂からなるヒートシール性層６ａを設け、該ヒートシール性層６ａの下面に吸湿剤を含有しない熱可塑性樹脂からなるヒートシール性層６ｂを形成した除湿能を有する袋用のシート材。
　【引用発明２】支持材２に防湿コート層３又は金属箔１１を積層してなる袋基材４の下面に、吸湿剤８を含有する熱可塑性樹脂からなるヒートシール性層６ａを設け、該ヒートシール性層６ａの下面に吸湿剤を含有しない熱可塑性樹脂からなるヒートシール性層６ｂを形成してなるシート材を、該ヒートシール性層６ｂを内側にして折返し、該ヒートシール性層６ｂの重なり部の必要個所をヒートシールした除湿能を有する袋。
　
４．対比及び判断
　本件訂正明細書の発明の詳細な説明によれば、請求項１ないし２に係る発明にいう「軽包装」は、湿度つまり湿気を嫌う食品類等比較的軽量の物品を包装することを意味するものであり、また、同じく「接着フィルム層」は、ナイロン、ポリカーボネート、ポリスチレン、ポリエチレン等のヒートシール可能な熱可塑性樹脂材料から構成されるものであることが理解される。
　一方、刊行物１の前記ｃの記載によれば、引用発明１ないし２にいう「ヒートシール性層６ａ、６ｂを構成する熱可塑性樹脂」は、ポリオレフィン系樹脂、ポリアミド樹脂、ポリエステル樹脂、ポリスチレン樹脂、ポリ塩化ビニル樹脂等から選択されるものであること、ヒートシール性層６ａ、６ｂは、それらの合計厚さが１５〜１００μ程度の範囲になるように選択されるものであることがそれぞれ認められる。
（１）請求項１に係る発明について
　そこで、請求項１に係る発明と引用発明１とを対比すると、引用発明１の「支持材２に防湿コート層３又は金属箔１１を積層してなる袋基材４」、「吸湿剤８を含有する熱可塑性樹脂からなるヒートシール性層６ａ」、「吸湿剤を含有しない熱可塑性樹脂からなるヒートシール性層６ｂ」、「除湿能を有する袋用のシート材」は順に、請求項１に係る発明の「水蒸気バリヤー性能を有する支持体」、「水分吸着層」、「接着フィルム層」、「軽包装用シート材」に相当することが明らかであるから、両発明は、次の一致点アで一致し、相違点イでのみ相違する。
　【一致点ア】水蒸気バリヤー性能を有する支持体の下面に水分吸着層を設け、該水分吸着層の下面に接着フィルム層を形成した軽包装用シート材。
　【相違点イ】請求項１に係る発明では、接着フィルム層について、素材や厚さにより選択された水分吸着スピードを有する水分透過性のものと規定しているのに対し、引用発明１ではこの点の言及がない点。
　この相違点イについて検討する。
　引用発明１の軽包装用シート材も請求項１に係る発明のそれと同様、接着フィルム層を最内側にして製袋され、内容物を封入後、同シート材の中間にある水分吸着層により袋内の水分ないし湿分を吸着しようとするものであるから、接着フィルム層は水分透過性のものでなければならないことは当然である。
　また、引用発明１の接着フィルム層を構成する熱可塑性樹脂は、前認定のとおり、ポリオレフィン系樹脂、ポリアミド樹脂、ポリエステル樹脂、ポリスチレン樹脂、ポリ塩化ビニル樹脂等から選択されるものであり、一方、これら樹脂の水分透過性が互いに異なることは本件出願前当業者によく知られているから、これら樹脂のそれぞれの選択によって、引用発明１の接着フィルム層は、素材により選択された水分吸着スピードを有するものとなることが明らかである。さらに、引用発明１の接着フィルム層は、前認定のとおり、その上面の水分吸着層とともに、それらの合計厚さが１５〜１００μ程度の範囲になるように選択されるものであり、一方、接着フィルム層の厚さによりその水分透過性が異なることは当然であるから、その厚さの選択によって、引用発明１の接着フィルム層は、厚さにより選択された水分吸着スピードを有するものとなることが明らかである。このように、引用発明１の軽包装用シート材において、接着フィルム層を構成する熱可塑性樹脂として前記樹脂の中から特定のものを選択したり、接着フィルム層として前記の合計厚さの範囲にある特定の厚さのものを選択したりすれば、それは必然的に、素材や厚さにより選択された水分吸着スピードを有する接着フィルム層を用いたことになるのである。
　したがって、引用発明１において、接着フィルム層について、素材や厚さにより選択された水分吸着スピードを有する水分透過性のものと規定すること、つまり相違点イをなす事項は、技術常識に基づいて当業者が容易に想到しうることである。
（２）請求項２に係る発明について
　つぎに、請求項２に係る発明と引用発明２とを対比すると、引用発明２の「支持材２に防湿コート層３又は金属箔１１を積層してなる袋基材４」、「吸湿剤8を含有する熱可塑性樹脂からなるヒートシール性層６ａ」、「吸湿剤を含有しない熱可塑性樹脂からなるヒートシール性層６ｂ」、「ヒートシールした」、「除湿能を有する袋」は順に、請求項２に係る発明の「水蒸気バリヤー性能を有する支持体」、「水分吸着層」、「接着フィルム層」、「熱接着形成した」、「軽包装袋」に相当することが明らかであるから、両発明は、次の一致点カで一致し、相違点キでのみ相違する。
　【一致点カ】水蒸気バリヤー性能を有する支持体の下面に水分吸着層を設け、該水分吸着層の下面に接着フィルム層を形成してなるシート材を、該接着フィルム層を内側にして折返し、該接着フィルム層の重なり部の必要個所を熱接着形成した軽包装袋。
　【相違点キ】請求項２に係る発明では、接着フィルム層について、素材や厚さにより選択された水分吸着スピードを有する水分透過性のものと規定しているのに対し、引用発明２ではこの点の言及がない点。
　この相違点キについて検討する。
　この相違点キは相違点イと同じものであるから、この相違点キをなす事項は、相違点イをなす事項と同様、技術常識に基づいて当業者が容易に想到しうることである。
（３）よって、請求項１ないし２に係る発明は、本件出願前に国内において頒布された刊行物１に記載された発明に基づいて、本件出願前に当業者が容易に発明をすることができたものであるというべきである。
　
ＩＶ．むすび
　
　以上のとおりであるから、本件請求項１ないし２に係る特許は、特許法第２９条第２項の規定に違反してされたものであって取り消されるべきものである。
　よって、結論のとおり決定する。
【異議決定日】
平成１３年２月２３日（２００１．２．２３）
【訂正の要旨】
訂正の要旨
　特許第２９８２０７９号発明の明細書について、次のとおり訂正する。
（１）特許請求の範囲の減縮を目的として、訂正前の明細書の特許請求の範囲の記載、すなわち、
「【請求項１】水蒸気バリヤー性能を有する支持体の下面に水分吸着層を設け、該水分吸着層の下面に水分透過性の接着フィルム層を形成したことを特徴とする軽包装用シート材。
　【請求項２】水蒸気バリヤー性能を有する支持体の下面に水分吸着層を設け、該水分吸着層の下面に水分透過性の接着フィルム層を形成してなるシート材を、該接着フィルム層を内側にして折返し、該接着フィルム層の重なり部の必要個所を熱接着形成したことを特徴とする軽包装袋。」
を訂正明細書の特許請求の範囲の記載、すなわち、
「【請求項１】水蒸気バリヤー性能を有する支持体の下面に水分吸着層を設け、該水分吸着層の下面に、素材や厚さにより選択された水分吸着スピードを有する水分透過性の接着フィルム層を形成したことを特徴とする軽包装用シート材。
　【請求項２】水蒸気バリヤー性能を有する支持体の下面に水分吸着層を設け、該水分吸着層の下面に、素材や厚さにより選択された水分吸着スピードを有する水分透過性の接着フィルム層を形成してなるシート材を、該接着フィルム層を内側にして折返し、該接着フィルム層の重なり部の必要個所を熱接着形成したことを特徴とする軽包装袋。」
に訂正する。
（２）明りょうでない記載の釈明を目的として、発明の詳細な説明の記載を以下のとおり訂正する。
　訂正前の明細書（特許掲載公報３欄２８〜２９行）の〔課題を解決するための手段〕欄の「該水分吸着面の下面に水分透過性の接着フィルム層を形成したこと」を、「該水分吸着面の下面に、素材や厚さにより選択された水分吸着スピードを有する水分透過性の接着フィルム層を形成したこと」と訂正する。
　訂正前の明細書（同４欄４６〜４８行）の〔発明の効果〕欄の「水分吸着層の下面に、水分透過性のある接着フィルム層を形成し」を、「水分吸着層の下面に、素材や厚さにより選択された水分吸着スピードを有する水分透過性のある接着フィルム層を形成し」と訂正する。
（５４）【発明の名称】
軽包装用シート材及びこれを用いた軽包装袋
（５７）【特許請求の範囲】
（１）水蒸気バリヤー性能を有する支持体の下面に水分吸着層を設け、該水分吸着層の下面に
、素材や厚さにより選択された水分吸着スピードを有する
（２）水蒸気バリヤー性能を有する支持体の下面に水分吸着層を設け、該水分吸着面の下面に
、素材や厚さにより選択された水分吸着スピードを有する
【発明の詳細な説明】
〔産業上の利用分野〕
　この発明は医薬品類、食品類、化粧品などの商品やハイテク産業で用いられる機械部品、半導体製品等の部品であって、湿度を嫌う物品を包装するのに好適な軽包装用シート材及びこれを用いた軽包装袋に関するものである。
〔従来の技術〕
　従来、上記のような用途に用いる軽包装袋の代表例として、実開平１−１４４３４５号公報に開示されたような技術が知られている。この公報に記載の軽包装袋を第３図、第４図に示す。図において、１は包装袋、２は該包装袋１を形成するシート材である。シート材２は支持体３の下面に防湿コート層４を設け、該防湿コート層４の下面に接着剤層５を介してヒートシール性層６を設け、該ヒートシール性層６にはシリカゲルなどの吸湿剤（水分吸収剤）７を含有させてなる。
　前記包装袋１は前記シート材２をそのヒートシール性層６を内側にして折返し、ヒートシール性層６の重なり部の必要個所８をヒートシールしてなる。このヒートシール性層６は熱可塑性樹脂により構成され、樹脂中には前述の如く吸湿剤８が含有されているため、袋内の湿気を吸収することができるようになっている。
〔考案が解決しようとする課題〕
　上記従来の軽包装袋は、従来から問題になっていた、袋状にした乾燥剤や固形の乾燥剤を商品と一緒に包装袋内に投入する面倒や不都合さが幾分解消されるものの、商品が触れる包装袋内面に吸湿剤が露出し、しかも吸湿剤の粉末（ダスト）が商品に付着（汚す）するとの問題があった。
　また、吸湿剤７を含有させたヒートシール性層６は、吸湿量等の吸湿性能を高めるために吸湿剤を多量に含有させると、接着性能が低下し、耐久性のない袋となってしまう一方、吸湿剤の含有量を抑えて接着性能を高めると、吸湿性能が極端に低下し、この種の包装袋の目的を失うといった問題があり、必ずしも適切とはいい難いものであった。
　この発明は上記の事情に鑑み、水分吸着スピードの調整が可能であり、ヒートシール性が良好で製袋加工性が高く、しかもダストプルーフ性に優れた軽包装用シート材と、商品が触れる包装袋内面に吸湿剤が露出しない吸湿性能の高い軽包装袋を提供することを目的としている。
〔課題を解決するための手段〕
　上記目的を達成するため、この発明の第１の構成は、水蒸気バリヤー性能を有する支持体の下面に水分吸着層を設け、該水分吸着層の下面に
、素材や厚さにより選択された水分吸着スピードを有する
〔作用〕
　上記構成により水分吸着層の下面に形成した接着フィルム層の厚さの選択により水分吸着スピードが調整でき、水分吸着性能を長期にわたって持続できるようにした。
　また、水蒸気バリヤー層となる支持体と、水分透過性の接着フィルム層とで水分吸着層をサンドウィッチしているから外部からの透湿を防止すると共に、ダストプルーフ性を良好に保持するようになっている。
〔実施例〕
　次に、この発明を第１図〜第２図に示す一実施例に基いて説明する。
　第１図は本願シート材の拡大断面図である。図において、１１は本願シート材、１２は該シート材１１の支持体である。支持体１２は水蒸気バリヤー性能を有する素材、例えばアルミ複合フィルム層から構成されている。この場合、支持体１２の厚さ及び剛性は医薬品類、食品類、化粧品、ハイテク産業で用いられる機械部品、半導体製品等々収容する物品に適するように決定されるが、普通には１０〜５０μ程度として設定される。
　１３は前記支持体１２の下面に形成された水分吸着層で、該水分吸着層１３は例えば、オレフィン系の合成樹脂材に、物理吸着タイプ（多孔質）の水分吸着材料（例えばシリカゲル、活性アルミナ、合成ゼオドライト等）１３ａを適量封入してなる。かくして得た水分吸着層１３は水溶性・腐食性・潮解性がなく、安全性および衛生性に優れている。この水分吸着層１３と支持体１２とは接着剤接着或いは他の方法（例えば積層加工法）で接着される。この水分吸着層１３は層内に存在する水分吸着材料の種類等により吸水能力を決定できる。
　１４は前記水分吸着層１３の下面に形成された水分透過性の接着フィルム層で、該接着フィルム層１４はヒートシール可能な耐薬品性の熱可塑性樹脂材料、例えばナイロン、ポリカーボネート、ポリスチレン、ポリエチレン等から構成されている。該接着フィルム層１４は素材や厚さの選択により水分吸着層１３の水分吸着スピードを調整できる。この水分調整のために、必要に応じフィルム層自身に細孔を人工的に形成することもある。また、接着フィルム層１４の形成はシート材１１にヒートシール性（製袋加工性）を付与するためにも、更に、接着フィルム層１４の形成は前記支持体１２と相まってダストプルーフ性を付与するためにも重要である。
　第２図は前記シート材からなる軽包装体の斜視図である。該軽包装体２０はシート材１１をその接着フィルム層１４を内側にして折返し、該接着フィルム層１４の重なり部の必要個所（破線ハッチング部）２１を熱着（ヒートシール）形成してなる。
　かくして得た軽包装体２０は、シート材１１を構成する支持体１２が外部からの透湿を防ぐとともに、袋体内部では水分透過性のある接着フィルム層１４を通して水分吸着層１３による水分吸着ができるから、袋内に商品（例えば医薬品類、食品類、化粧品などの商品やハイテク産業で用いられる機械部品、半導体製品等の部品であって、湿度を嫌う物品）を収容しておけばその商品を常に乾燥状態に保つことができる。しかも、本願軽包装袋２０は吸湿剤（水分吸着層）が接着フィルム層１４にて覆われ、袋内には露出せず、商品に化学変化を生じさせる虞れも、また、商品を吸湿剤の粉末で汚すこともない
　なお、この発明に係る軽包装用シート材及びこれを用いた軽包装袋は上記実施例に限定されるものではなく、その要旨を変更せざる範囲内において種々に変形実施することが可能であることを付記する。
〔発明の効果〕
　以上の如く、この発明は支持体の下面に形成した水分吸着層の下面に、
素材や厚さにより選択された水分吸着スピードを有する
　また、本願シート材を用いて得た軽包装体は、支持体が外部からの透湿を防ぎ、袋体内部では接着フィルム層を通して水分吸着層による水分吸着ができるから、吸湿剤（乾燥剤）が袋内に露出せず、商品に変化を生じさせたり、商品を吸湿剤の粉末で汚すこともないなど各種の優れた効果を奏するものである。
【図面の簡単な説明】
　第１図〜第２図はこの発明の一実施例を示し、第１図はシート材の拡大断面図、第２図は袋体にした状態の外観斜視図、第３図は従来例の拡大断面図、第４図は袋体にした状態の外観斜視図である。
１１・…シート材
１２・…支持体
１３・…水分吸着層
１４・…接着フィルム層
２０・…軽包装体
２１・…熱着部